(57)【要約】【課題】複数の音響装置から出力された音が重なることによってユーザに不快感を与えることを回避する。【解決手段】情報を受信する通信部１０と、通信部１０にて受信した情報に応じた音を出力する出力部２０と、周囲の音を検出する検出部３０と、通信部１０にて受信した情報と、検出部３０にて検出された音とに基づいて、出力部２０から出力される音の音量を制御する制御部４０とを有する。【選択図】図１
2013255103.tif 000002
【特許請求の範囲】
【請求項１】
情報を受信する通信手段と、
前記通信手段にて受信した情報に応じた音を出力する出力手段と、
周囲の音を検出する検出手段と、
前記通信手段にて受信した情報と、前記検出手段にて検出された音とに基づいて、前記出力手段から出力される音の音量を制御する制御手段とを有する音響装置。
【請求項２】
請求項１に記載の音響装置において、
前記検出手段は、前記出力手段から音が出力されている際の周囲の音を検出する音響装置。
【請求項３】
請求項１または請求項２に記載の音響装置において、
前記検出手段は、前記出力手段から音が出力される前の周囲の音を検出する音響装置。
【請求項４】
請求項１乃至３のいずれか１項に記載の音響装置において、
前記制御手段は、前記検出手段にて検出された音が、前記通信手段にて受信した情報に応じた音と一致した場合、前記出力手段から出力される音の音量を下げる音響装置。
【請求項５】
請求項４に記載の音響装置において、
前記制御手段は、前記検出手段にて検出された音が、前記通信手段にて受信した情報に応じた音と一致した場合、前記出力手段から出力される音の音量を、前記検出手段にて検出される音の音量が所定の音量を超えないように制御する音響装置。
【請求項６】
請求項４または請求項５に記載の音響装置において、
前記制御手段は、前記検出手段にて検出された音が、前記通信手段にて受信した情報に応じた音と一致した場合、前記出力手段から出力される音の音量を０とする音響装置。
【請求項７】
情報を受信する通信処理と、
周囲の音を検出する検出処理と、
前記通信処理にて受信した情報と前記検出処理にて検出された音とに基づいた音量で、前記通信処理にて受信した情報に応じた音を出力する音出力制御処理とを有する音響方法。
【請求項８】
コンピュータに、
情報を受信する通信手順と、
周囲の音を検出する検出手順と、
前記通信手順にて受信した情報と前記検出手順にて検出された音とに基づいた音量で、前記通信手順にて受信した情報に応じた音を出力する音出力制御手順とを実行させるためのプログラム。
【請求項９】
請求項１乃至６のいずれか１項に記載の音響装置を搭載した端末装置であって、
前記通信手段は、同報通知される情報を受信する端末装置。
【発明の詳細な説明】
【技術分野】
【０００１】
本発明は、音を出力する音響装置、方法、プログラム、並びに該音響装置を搭載した端末装置に関し、特に、出力する音の音量を制御する技術に関する。
【背景技術】
【０００２】
近年、携帯電話機には、地震速報等、複数の無線装置への同報通知を受けた際に警告音を出力する機能が搭載されており、携帯電話機は、同報通知を受信すると、携帯電話機にて予め設定された音量で警告音を出力する。そのため、同様の機能が搭載された携帯電話機が物理的に近い場所に複数存在すると、警告音が重なることにより、ユーザに聞こえる警告音の音量が想定以上のものとなり、ユーザに不快感を与えてしまう。
【０００３】
ここで、音源から供給されるマルチチャンネル再生信号のうち所定周波数以下の低域成分信号を、複数のユーザにとって共通に用いられるサブウーファへ出力すると共に、所定周波数を超える中高域成分信号を、複数のユーザにそれぞれ装着させる複数の非密閉型のヘッドホンへ出力するように振り分けることにより、何れのリスニングポジションに位置しているユーザに対しても最適な音像感を提供する技術が、特許文献１に開示されている。
【０００４】
また、マイクを介して収音された音声をスピーカから拡声するものにおいて、マイクを介して収音された音声から所定の成分を減算することにより、ハウリングを抑制する技術が、特許文献２に開示されている。
【先行技術文献】
【特許文献】
【０００５】
【特許文献１】特開２００８−１３１０８９号公報
【特許文献２】国際公開第２００５／１２５２７３号
【発明の概要】
【発明が解決しようとする課題】
【０００６】
しかしながら、特許文献１に開示された技術は、１つの音響装置から出力される音を複数のユーザに最適に伝えるためのものであるため、上述したように複数の音響装置から出力された音が重なることによってユーザに不快感を与えることを回避することはできない。
【０００７】
また、特許文献２に開示された技術は、マイクを介して収音された音声の音量を調整することによってハウリングを抑制するものであり、マイクを介して収音された音声が音源となるため、上述したように同報通知された情報による警告音については全く考慮されておらず、複数の音響装置から出力された音が重なることによってユーザに不快感を与えることを回避することはできない。
【０００８】
本発明は、上述したような技術が有する問題点に鑑みてなされたものであって、複数の音響装置から出力された音が重なることによってユーザに不快感を与えることを回避できる音響装置、方法、プログラム、並びに該音響装置を搭載した端末装置を提供することを目的とする。
【課題を解決するための手段】
【０００９】
上記目的を達成するために本発明は、
情報を受信する通信手段と、
前記通信手段にて受信した情報に応じた音を出力する出力手段と、
周囲の音を検出する検出手段と、
前記通信手段にて受信した情報と、前記検出手段にて検出された音とに基づいて、前記出力手段から出力される音の音量を制御する制御手段とを有する。
【００１０】
また、情報を受信する通信処理と、
周囲の音を検出する検出処理と、
前記通信処理にて受信した情報と前記検出処理にて検出された音とに基づいた音量で、前記通信処理にて受信した情報に応じた音を出力する音出力制御処理とを有する。
【００１１】
コンピュータに、
情報を受信する通信手順と、
周囲の音を検出する検出手順と、
前記通信手順にて受信した情報と前記検出手順にて検出された音とに基づいた音量で、前記通信手順にて受信した情報に応じた音を出力する音出力制御手順とを実行させる。
【００１２】
また、前記音響装置を搭載した端末装置であって、
前記通信手段は、同報通知される情報を受信する。
【発明の効果】
【００１３】
本発明によれば、複数の音響装置から出力された音が重なることによってユーザに不快感を与えることを回避できる。
【図面の簡単な説明】
【００１４】
【図１】本発明の音響装置の概要を示す図である。
【図２】図１に示した音響装置を搭載した端末装置の実施の一形態を示すブロック図である。
【図３】図２に示した無線端末の利用環境を示す図である。
【図４】図２に示した無線端末が図３に示した環境にて利用される場合の動作の一例を説明するためのフローチャートである。
【図５】図２に示した無線端末１が図３に示した環境にて利用される場合の動作の他の例を説明するためのフローチャートである。
【発明を実施するための形態】
【００１５】
以下に、本発明の実施の形態について図面を参照して説明する。
【００１６】
図１は、本発明の音響装置の概要を示す図である。
【００１７】
本発明の音響装置は図１に示すように、通信手段となる通信部１０と、出力手段となる出力部２０と、検出手段となる検出部３０と、制御手段となる制御部４０とから構成されている。
【００１８】
上記のように構成された音響装置においては、通信部１０が情報を受信すると、受信した情報に応じた音を出力部２０が出力する。検出部３０は周囲の音を検出する。制御部４０は、通信部１０にて受信した情報と、検出部３０にて検出された音とに基づいて、出力部２０から出力される音の音量を制御する。
【００１９】
以下に、上述した音響装置の具体的な実施形態について説明する。
【００２０】
図２は、図１に示した音響装置を搭載した端末装置の実施の一形態を示すブロック図である。
【００２１】
本形態の端末装置は図２に示すように、アンテナ１２と、送受信部１１と、警告音出力部２１と、スピーカ部２２と、マイク部３１と、表示部５１と、操作部５２と、制御部４１とを有する無線端末１である。アンテナ１２及び送受信部１２が、図１に示した通信部１０に相当し、警告音出力部２１が図１に示した出力部２０に相当し、マイク部３１が図１に示した検出部３０に相当し、制御部４１が図１に示した制御部４０に相当する。
【００２２】
アンテナ１２は、電波信号を送受信するものである。
【００２３】
送受信部１１は、アンテナ１２を介して送受信される電波信号を変復調することにより、データ信号を無線にて送受信するものである。
【００２４】
警告音出力部２１は、ブザー等から構成され、着信音やアラーム音を出力するものであって、アンテナ１２を介して受信され、送受信部１１にて復調されたデータ信号に応じた警告音を出力する。
【００２５】
スピーカ部２２は、音声通話における着話音声等を出力する。
【００２６】
マイク部３１は、音声通話時のユーザの発話音声を入力するためのものであり、音を集音することによって無線端末１の周囲の音を検出する。
【００２７】
表示部５１は、例えば液晶表示装置等から構成され、無線端末１による種々の動作を実行するための文字や画像等を表示する。
【００２８】
操作部５２は、例えば十字カーソルキーや、数字や文字を入力するための英数字キー等、無線端末１の機能や動作等を指定するためのボタン等から構成され、ユーザによって操作される。
【００２９】
メモリ４２は、情報を記憶するものであって、無線端末１が動作するための動作プログラムや、電話帳等の情報を記憶している。
【００３０】
制御部４１は、無線端末１の動作を制御するものであって、警告音出力部２１やスピーカ部２２から出力される音の音量を制御する。制御部４１は、アンテナ１２を介して受信され、送受信部１１にて復調されたデータ信号と、マイク部３１にて検出された無線端末１の周囲の音とに基づいて、警告音出力部２１から出力される警告音の音量を制御する。
【００３１】
以下に、上記のように構成された無線端末における音響方法について説明する。
【００３２】
図３は、図２に示した無線端末１の利用環境を示す図である。なお、図３に示す無線端末１−１〜１−ｎはそれぞれ、図２に示した無線端末１の構成を有している。また、図４は、図２に示した無線端末１が図３に示した環境にて利用される場合の動作の一例を説明するためのフローチャートである。
【００３３】
図２に示した無線端末１は、図３に示すように、複数の無線端末１−１〜１―ｎが通信回線３を介してサーバ装置２に接続可能となって利用される。なお、以下の説明においては、無線端末１―１〜１―ｎのうち無線端末１―１の動作を例に挙げる。他の無線端末１−２〜１−ｎは、無線端末１−１の周囲に存在し、サーバ装置２から無線端末１−１と同一のデータ信号が同報通知される。
【００３４】
サーバ装置２が無線端末１−１〜１−ｎに対して、警告音を出力するためのデータ信号を通信回線３を介して同報通知すると、無線端末１−１の送受信部１２が、この同報通知のデータ信号を復調して制御部４１に通知する（ステップ１）。
【００３５】
この通知を受けて制御部４１は、マイク部３１を起動してマイク部３１にて音を集音させ、マイク部３１にて集音された音を用いて無線端末１−１の周囲の音のサンプリングを開始する（ステップ２）。すなわち、マイク部３１は、無線端末１の周囲の音を検出するためのものである。そして、制御部４１は、送受信部１２から通知されたデータ信号に応じて警告音出力部２１から出力しようとする警告音と、サンプリングによって検出された音との比較を開始する。
【００３６】
次に、制御部４１は、送受信部４１から通知されたデータ信号に応じた警告音を警告音出力部２１から出力させる（ステップ３）。この際、警告音出力部２１から出力される警告音の音量は、詳細は後述するが、マイク部３１にて集音された音をサンプリングすることによって検出された周囲の音に基づいて制御されるが、この時点では、他の無線端末１−２〜１−ｎが、サーバ装置２から通知されたデータ信号に応じた警告音を出力しておらず、警告音がマイク部３１にて集音されていないため、予め設定された音量で警告音が出力される。
【００３７】
制御部４１は、サーバ装置２からの同報通知が引き続き行われている状態において（ステップ４）、マイク部３１にて集音された音のサンプリングを一定期間毎に実施する（ステップ５）。
【００３８】
そして、制御部４１は、サンプリングされた周囲の音と、警告音出力部２１から出力されている警告音とを比較する（ステップ６）。この比較は、例えば、サンプリングされた周囲の音と警告音出力部２１から出力されている警告音のそれぞれの音声データの波形を比較すること等によって行う。
【００３９】
制御部４１は、サンプリングされた周囲の音と、警告音出力部２１から出力されている警告音とが一致した場合は、無線端末１−１の周囲に、送受信部１２にて復調したデータ信号がサーバ装置２から同報通知された無線端末が存在すると判断し、マイク部３１にて集音されてサンプリングされた音の音量が所定値以下であるかを判断する（ステップ７）。
【００４０】
マイク部３１にて集音されてサンプリングされた音の音量が所定値を超えている場合は、制御部４１は、警告音出力部２１から出力される警告音の音量を所定量だけ下げる（ステップ８）。
【００４１】
また、マイク部３１にて集音されてサンプリングされた音の音量が所定値以下である場合は、制御部４１は、警告音出力部２１からの警告音の出力を、その音量を変更せずに継続させる（ステップ９）。また、サンプリングされた周囲の音と、警告音出力部２１から出力されている警告音とが一致しない場合も、制御部４１は、警告音出力部２１からの警告音の出力を、その音量を変更せずに継続させる。
【００４２】
このように、制御部４１は、マイク部３１にて集音された音のサンプリングと、警告音出力部２１からの警告音の出力とを、サーバ装置２からの同報通知が終了するまで並行して行い、警告音の音量の制御も継続して行う。これにより、マイク部３１にて集音された警告音による音量が、所定の音量を超えないものとなり、物理的に近い場所に存在する無線端末１−１〜１−ｎから同時に出力される警告音がユーザに聞こえる音量が、全体として最適な値に調整され、無線端末１−１〜１−ｎから出力された音が重なることによってユーザに不快感を与えることを回避できる。
【００４３】
そして、サーバ装置２からの同報通知が終了すると、制御部４１は、警告音出力部２１からの警告音の出力を終了し（ステップ１０）、また、マイク部３１の動作を停止させ、無線端末１−１の周囲の音のサンプリングを終了する（ステップ１１）。
【００４４】
なお、上述したように、制御部４１が、マイク部３１にて集音した警告音の音量に応じて警告音出力部２１から出力される警告音の音量を制御することを利用して、警告音の出力を開始する際に音量が不安定となることによって初期音量が大きくなりすぎないように制御してもよい。例えば、制御部４１において、警告音の出力を開始する際、マイク部３１にて集音された警告音の音量として極めて大きな音量を設定しておけば、警告音の出力を開始する際に、警告音出力部２１から出力される警告音が大きくなりすぎることを回避できる。また、警告音の出力を開始してから、一定時間だけ、警告音出力部２１から出力される警告音の音量を小さくしてもよい。
【００４５】
また、本例においては、サンプリングされた周囲の音と、警告音出力部２１から出力されている警告音とが一致した場合に、制御部４１が、無線端末１の周囲に、送受信部１２にて復調したデータ信号がサーバ装置２から同報通知された無線端末が存在すると判断しているが、サンプリングされた周囲の音と、警告音出力部２１から出力されている警告音とのそれぞれの、周波数やその変化、変化の間隔、周期等の音の出力パターンが一致した場合に、無線端末１の周囲に、送受信部１２にて復調したデータ信号がサーバ装置２から同報通知された無線端末が存在すると判断する構成としてもよい。
【００４６】
上述した例においては、サーバ装置２からの同報通知を受信した場合に、警告音出力部２１から警告音を出力し、警告音が出力されている状態にてマイク部３１にて集音された音の音量と、警告音出力部２１から出力された警告音とに基づいて、警告音出力部２１から出力される警告音の音量を制御しているが、無線端末１−１〜１−ｎ毎に、サーバ装置２から同報通知を受信してから同報通知に応じた警告音を出力するまでのタイムラグがある場合、警告音出力部２１から警告音を出力する前に、同様の制御を行うことも考えられる。以下にその例について説明する。
【００４７】
図５は、図２に示した無線端末１が図３に示した環境にて利用される場合の動作の他の例を説明するためのフローチャートである。
【００４８】
サーバ装置２が無線端末１−１〜１−ｎに対して、警告音を出力するためのデータ信号を通信回線３を介して同報通知すると、無線端末１−１の送受信部１２が、この同報通知のデータ信号を復調して制御部４１に通知する（ステップ２１）。
【００４９】
この通知を受けて制御部４１は、マイク部３１を起動してマイク部３１にて無線端末１の周囲の音を集音させ、マイク部３１にて集音された音を用いて無線端末１−１の周囲の音のサンプリングを開始する（ステップ２２）。
【００５０】
制御部４１は、マイク部３１にて集音された音のサンプリングを一定期間毎に実施し（ステップ２３）、サンプリングされた周囲の音と、送受信部１２から通知されたデータ信号に応じた警告音、すなわち、これから警告音出力部２１にて出力しようとする警告音とを比較する（ステップ２４）。この比較は、例えば、上記同様に、サンプリングされた周囲の音と警告音出力部２１から出力しようとする警告音のそれぞれの音声データの波形を比較することによって行う。
【００５１】
制御部４１は、サンプリングされた周囲の音と、警告音出力部２１から出力しようとする警告音とが一致した場合は、無線端末１−１の周囲に、送受信部１２にて復調したデータ信号がサーバ装置２から同報通知された無線端末が存在すると判断し、マイク部３１にて集音された音と警告音出力部２１から出力しようとする警告音とを加えた音量が所定値以下であるかを判断する（ステップ２５）。
【００５２】
マイク部３１にて集音された音と警告音出力部２１から出力しようとする警告音とを加えた音量が所定値以下である場合は、制御部４１は、送受信部４１から通知されたデータ信号に応じた警告音を予め設定された音量で警告音出力部２１から出力させる（ステップ２６）。また、サンプリングされた周囲の音と、警告音出力部２１から出力される警告音とが一致しない場合も、制御部４１は、送受信部４１から通知されたデータ信号に応じた警告音を予め設定された音量で警告音出力部２１から出力させる。
【００５３】
また、マイク部３１にて集音された音と警告音出力部２１から出力しようとする警告音とを加えた音量が所定値を超えている場合は、制御部４１は、警告音出力部２１から出力される警告音の音量を、予め設定された音量よりも所定量だけ下げ（ステップ２７）、送受信部４１から通知されたデータ信号に応じた警告音を警告音出力部２１から出力させる。
【００５４】
そして、サーバ装置２からの同報通知が終了すると（ステップ２８）、制御部４１は、警告音出力部２１からの警告音の出力を終了し（ステップ２９）、また、マイク部３１の動作を停止させ、無線端末１−１の周囲の音のサンプリングを終了する（ステップ３０）。
【００５５】
このように、本例においては、サーバ装置２からの同報通知を受信した場合に、警告音出力部２１から警告音を出力する前に、マイク部３１にて集音された音の音量と、警告音出力部２１から出力しようとする警告音の音量とに基づいて、その後に警告音出力部２１から出力される警告音の音量を制御している。なお、ステップ２４における比較は、図４のステップ６における比較と同様に、サンプリングされた周囲の音と、警告音出力部２１から出力しようとする警告音とのそれぞれの、周波数やその変化、変化の間隔、周期等の音の出力パターンが一致するかどうかによって行ってもよい。また、本例においても、警告音の出力を開始してから、一定時間だけ、警告音出力部２１から出力される警告音の音量を小さくしてもよい。
【００５６】
なお、本例における動作を行った後に、図４に示した動作を継続して行うことも考えられる。その場合、ステップ２６における処理の後、ステップ５の処理に移行することになる。
【００５７】
また、制御部４１が、警告音出力部２１から出力される警告音の音量を下げる際に、警告音の音量を“０”としてもよい。その場合、その後、マイク部３１にて集音された警告音の音量が低下した場合や、マイク部３１にてその警告音が集音されなくなった場合、さらには、マイク３１にて集音されている警告音の音量が変わらない場合に、マイク部３１にて集音される警告音の音量が所定値以下となるような音量で、警告音出力部２１から警告音を出力するようにしてもよい。
【００５８】
また、本発明の構成要素は、上述したブロック図に示されるような機能として分離されるものに限らず、適宜、機能毎に分離した構成としてもよい。
【００５９】
また、本発明においては、音響装置内の処理は上述の専用のハードウェアにより実現されるもの以外に、その機能を実現するためのプログラムを音響装置となるコンピュータにて読取可能な記録媒体に記録し、この記録媒体に記録されたプログラムを音響装置に読み込ませ、実行するものであっても良い。音響装置にて読取可能な記録媒体とは、ＩＣカードやメモリカード、あるいは、フロッピーディスク（登録商標）、光磁気ディスク、ＤＶＤ、ＣＤ等の移設可能な記録媒体の他、音響装置に内蔵されたＨＤＤ等を指す。この記録媒体に記録されたプログラムは、例えば、制御ブロックにて読み込まれ、制御ブロックの制御によって、上述したものと同様の処理が行われる。
【００６０】
また、本発明の音響装置は、図２に示したような無線端末に限らず、スマートフォン、携帯音楽プレーヤーや携帯ゲーム機、タブレットＰＣやノートＰＣ、ＰＤＡ等、サーバ装置等の外部から通知される情報に応じた音を出力するものであればよい。
【００６１】
上記の実施の形態の一部または全部は、以下の付記のようにも記載され得るが、以下には、限られない。
【００６２】
（付記１）
情報を受信する通信手段と、
前記通信手段にて受信した情報に応じた音を出力する出力手段と、
周囲の音を検出する検出手段と、
前記通信手段にて受信した情報と、前記検出手段にて検出された音とに基づいて、前記出力手段から出力される音の音量を制御する制御手段とを有する音響装置。
【００６３】
（付記２）
付記１に記載の音響装置において、
前記検出手段は、前記出力手段から音が出力されている際の周囲の音を検出する音響装置。
【００６４】
（付記３）
付記１または付記２に記載の音響装置において、
前記検出手段は、前記出力手段から音が出力される前の周囲の音を検出する音響装置。
【００６５】
（付記４）
付記１乃至３のいずれか１項に記載の音響装置において、
前記制御手段は、前記検出手段にて検出された音が、前記通信手段にて受信した情報に応じた音と一致した場合、前記出力手段から出力される音の音量を下げる音響装置。
【００６６】
（付記５）
付記４に記載の音響装置において、
前記制御手段は、前記検出手段にて検出された音が、前記通信手段にて受信した情報に応じた音と一致した場合、前記出力手段から出力される音の音量を、前記検出手段にて検出される音の音量が所定の音量を超えないように制御する音響装置。
【００６７】
（付記６）
付記４または付記５に記載の音響装置において、
前記制御手段は、前記検出手段にて検出された音が、前記通信手段にて受信した情報に応じた音と一致した場合、前記出力手段から出力される音の音量を０とする音響装置。
【００６８】
（付記７）
情報を受信する通信処理と、
周囲の音を検出する検出処理と、
前記通信処理にて受信した情報と前記検出処理にて検出された音とに基づいた音量で、前記通信処理にて受信した情報に応じた音を出力する音出力制御処理とを有する音響方法。
【００６９】
（付記８）
コンピュータに、
情報を受信する通信手順と、
周囲の音を検出する検出手順と、
前記通信手順にて受信した情報と前記検出手順にて検出された音とに基づいた音量で、前記通信手順にて受信した情報に応じた音を出力する音出力制御手順とを実行させるためのプログラム。
【００７０】
（付記９）
付記１乃至６のいずれか１項に記載の音響装置を搭載した端末装置であって、
前記通信手段は、同報通知される情報を受信する端末装置。
【符号の説明】
【００７１】
１，１−１〜１−ｎ    無線端末
２    サーバ装置
３    通信回線
１０    通信部
１１    送受信部
１２    アンテナ
２０    出力部
２１    警告音出力部
２２    スピーカ部
３０    検出部
３１    マイク部
４０，４１    制御部
４２    メモリ
５１    表示部
５２    操作部
【図１】
2013255103.tif 000003
【図２】
2013255103.tif 000004
【図３】
2013255103.tif 000005
【図４】
2013255103.tif 000006
【図５】
2013255103.tif 000007